(57)【要約】      （修正有）【課題】ダブツキや乱れが少なく、動き易い柔道衣を提供する。【解決手段】この柔道衣は、中央の折線Ｌで折り畳まれて前袖３ａと後袖３ｂを形成する袖部材３を前身頃１と後身頃に縫着して上体材１０とし、これに裾８と襟９を付着して作られる。袖部材３は肩口Ｓから袖口Ｔへの袖上線Ａを上方へ５〜１５度傾斜させる。そして、袖口Ｔから腋部Ｋへの袖下線Ｂを袖上線Ａに対して１０度以下に下方へ傾斜させるとともに、腋部Ｋ近傍まで直線に形成する。なお、袖部材３は前身頃１に前方へ傾斜させて縫着するとよい。また、後身頃の背継部７は幅広にするのが望ましい。【選択図】図１
0003116530.tif 000002
【実用新案登録請求の範囲】
【請求項１】
中央で折り畳まれて前袖と後袖を形成する袖部材を前身頃と後身頃に縫着し、これに裾と襟を付着して作られる柔道衣であって、該袖部材は肩口から袖口への袖上線を上方へ５ないし１５度傾斜させ、袖口から腋部への袖下線は該袖上線に対して１０度以下に下方へ傾斜させるとともに、腋部近傍まで直線としたことを特徴とする柔道衣。
【請求項２】
前記袖部材は前方へ傾斜させて前記前身頃に縫着したことを特徴とする請求項１記載の柔道衣。
【請求項３】
前記後身頃の背継部を幅広としたことを特徴とする請求項１記載の柔道衣。
【考案の詳細な説明】
【技術分野】
【０００１】
本考案は、柔道衣に関するものである。
【背景技術】
【０００２】
柔道衣は、図４に示すように、着物をベースとしており、丈はお尻が隠れる程度のものである。布地は丈夫な綿を使用し、掴み易い幅の襟９を付け、全体的に身体に対しゆったりしたものとなるように、身体に対する各部の寸法が国際柔道連盟審判規定に定められている。
【０００３】
柔道衣は、上体材２０に裾８と襟９を縫着して作られている。従来、この上体材２０は、図５に示すように、前身頃１１、後身頃１２、前袖１３ａおよび後袖１３ｂが一体となった左体材２０ａと、これと左右対称な右体材２０ｂとを裁断し、それぞれ折線Ｍで二つ折りにして端面１４と端面１５、および背継部Ｒ同士を縫着して作られている。なお、図示してないが、肩部など各所に補強のための布が縫着されている。
このようにして作られる柔道衣は、床面に置いたとき真っ平らな状態であり、また、肩口Ｓから袖口Ｔへの袖上線Ｃは、左右共水平な状態であり、袖口Ｔから腋部Ｋに向かう袖下線Ｄは、大きな傾斜とし、腋部Ｋにかなり大きなゆとりのあるものとなっている。
【考案の開示】
【考案が解決しようとする課題】
【０００４】
柔道の練習や試合では、相手の襟や袖を掴んで態勢を崩したり技をかけたりするが、柔道衣は身体に対してゆとりがあり、前身頃は重ね合わせて帯で留めているだけであるので、乱れ易い。特に、組み手の際に両腕を肩より上げて構えることが少なくないが、従来の柔道衣は上記のように、袖上線Ｃが水平に形成されており、腕を上げると前身頃を引き上げるので、動きが制約されるとともに、はだけて見栄えが悪い。
また、腋部Ｋにかなり大きなゆとりをもたせているので、腕を上下に動かしたとき腋部のダブツキが大きく、見栄えが悪い。さらに、袖は前身頃と後身頃に水平方向へ縫着されているので、腕を前方内側へ動かしたとき、袖付け線部分がダブツキ、また、後身頃同士の背継部も、１ｃｍ以下の細い幅で出っ張り見栄えが悪い。従来の柔道衣は、上記のようにダブツキが多く、乱れ易いのみならず、動くときの抵抗が大きいという難点がある。
【０００５】
そこで、本考案は、ダブツキや乱れが少なく、動き易い柔道衣を提供することを目的としている。
【課題を解決するための手段】
【０００６】
上記の目的を達成するため、考案者は、種々検討を行い、試作品を作って使用した結果、次のように構成するのがよいとの結論に至った。
すなわち、中央で折り畳まれて前袖と後袖を形成する袖部材を前身頃と後身頃に縫着し、これに裾と襟を付着して作られる柔道衣であって、該袖部材は肩口から袖口への袖上線を上方へ５ないし１５度傾斜させ、袖口から腋部への袖下線は該袖上線に対して１０度以下に下方へ傾斜させるとともに、腋部近傍まで直線としたことを特徴としている。
【０００７】
本考案の柔道衣は、従来と同じく、上体材に襟と裾を縫着して作られるが、上体材は、左右一対の前身頃と後身頃と袖部材とで構成している。なお、後身頃は、左右一体のものでもよいが、分割した場合は、請求項３に記載のように、後身頃の背継部をできるだけ幅広にするのが望ましい。
袖上線の上方への傾斜角は、５〜１５度にする。５度以下では、腕を上に挙げて構えたときに前身頃がはだけ、１５度以上では腕を降ろしている場合に胸元にダブツキができる。そして、袖下線は、袖上線と平行でもよいが、幾分（１０度以下）下方へ傾斜させ、腋部近傍まで直線とする。袖下線の傾斜角度は小さくするにつれ、また、前身頃の近くまで直線とすることによって腋部のダブツキを小さくできる。
また、袖部材の前身頃との縫着は、請求項２に記載のように袖部材を前方へ傾斜させるとよい。さらに肘の部分でも前方へ傾斜させるとよい。
【考案の効果】
【０００８】
上記のように、本考案の柔道衣は、袖部材を肩口から袖口への袖上線を上方へ５ないし１５度傾斜させ、袖口から腋部への袖下線は該袖上線に対して１０度以下に下方へ傾斜させるとともに、腋部近傍まで直線として縫着したので、柔道を行うときの動作や姿勢に近い状態のものとなり、動き易く、乱れ難い。特に、従来のように前身頃が引き上げられて、はだけたり、胸元や腋部にダブツキが少なくなるので、見栄えがよい。
また、袖部材は前身頃に前方へ傾斜させて縫着（請求項２）すれば、より、身体にフィットしダブツキが少なくなる。さらに、後身頃の背継部を幅広にすれば（請求項３）、後身頃がより丈夫になり、見栄えがよくなる。
【考案を実施するための最良の形態】
【０００９】
以下、本考案の柔道衣の実施の形態について、図１〜図３に基づいて説明する。
本考案に係る柔道衣は、図１に示すように、従来と同じく上体材１０に裾８と襟９が縫着されている。そして、肩口Ｓから袖口Ｔへの袖上線Ａは、上方へ約１０度傾斜し、袖口Ｔから腋部Ｋへの袖下線Ｂは、袖上線Ａに対して若干下方へ傾斜し、腋部Ｋの近傍まで直線となっており、腋部Ｋのダブツキが小さなものとしている。また、図２に示すように、背継部７が幅広に形成されている。
【００１０】
上体材１０は、図３に示すように、左右対称な一対の前身頃１、後身頃２および袖部材３を縫い合わせて作っている。なお、各部材の生地は従来と同じものを使用している。また、従来と同様に、肩部など各所に補強のための布が縫着されている。
前身頃１は、略三角形状であり、端面１ａは袖部材３の端面３ｃに縫着され、端面１ｂには、襟９が縫着される。後身頃２は、台形状であり、端面２ｂは袖部材３に縫着され、また、端面２ａ同士は、縫着されて背継部７を形成する。
【００１１】
袖部材３は、前袖３ａと後袖３ｂとが一体に形成されており、中央の折線Ｌで上側（後袖３ｂ）を後方へ折り曲げて、端面Ｐ，Ｑ同士を縫着する。なお、折線Ｌは図１で袖上線Ａとなる。
そして、袖部材３の端面３ｃは前身頃１の端面１ａと、端面３ｄは後身頃２の端面２ｂに縫着されて上体材１０となる。この縫着部は図１、図２においては、袖付線５、６として表示している。
袖部材３の端面Ｐおよび端面Ｑの傾斜は中央の折線Ｌに対して約５度とし、腋部Ｋ近くのＰ１まで直線とし、前身頃１および後身頃２とは小さな径の曲線で接続している。これにより、腋部Ｋにはダブツキが少なくなる。なお、Ｐ１の位置は、端面３ｃ（端面３ｄ）から７ｃｍ以下（ここでは４ｃｍ）としている。
【００１２】
また、袖部材３の端面３ｃ，３ｄは、前身頃の端面１ａと後身頃２の端面２ｂの傾斜に対して鈍角に裁断されており、袖部材３を前身頃１と後身頃２に縫着したときは、図１および図２に示すように肩口Ｓから袖口Ｔへの袖上線Ａは水平線に対して左右共上方へ略１０度傾斜する。
また、端面３ｃと端面１ａは、それぞれ内側へ切り欠いており、縫着したとき前袖３ａが内側（図１で手前側）へ偏位するようにしている。さらに、前袖３ａのほぼ肘の位置に、菱形状の取除部４を削除し、肘の部分でも内側へ偏位している。
また、左右の後身頃２は端面２ａ同士を縫着して背継部７を形成するが、その重なり幅は３ｃｍとしている（図２参照）。
【００１３】
このようにして作られた柔道衣は、実際に使用してみたところでは、袖が上方へ向くとともに、内側へ偏位しているので、組み手における姿勢に近く、乱れが少なく動き易いものとなった。また、襟元や腋部のダブツキが少ないので、見栄えがよく着心地のよいものとなった。
【図面の簡単な説明】
【００１４】
【図１】本考案の実施の形態に係る柔道衣の正面図である。
【図２】同  背面図である。
【図３】同  上体材１０の展開図である。
【図４】従来の柔道衣の正面図である。
【図５】同  上体材２０の展開図である。
【符号の説明】
【００１５】
１  前身頃
１ａ  端面
１ｂ  端面
２  後身頃
２ａ  端面
２ｂ  端面
３  袖部材
３ａ  前袖
３ｂ  後袖
３ｃ  端面
３ｄ  端面
４  取除部
５  袖付線
６  袖付線
７  背継部
８  裾
９  襟
１０  上体材
１１  前身頃
１２  後身頃
１３ａ  前袖
１３ｂ  後袖  
１４  端面
１５  端面
２０  上体材
２０ａ  左体材
２０ｂ  右体材
Ａ  袖上線
Ｂ  袖下線
Ｃ  袖上線
Ｄ  袖下線
Ｋ  腋部
Ｌ  折線
Ｍ  折線
Ｐ  端面
Ｐ１  位置
Ｑ  端面
Ｒ  背継部
Ｓ  肩口
Ｔ  袖口
【図１】
0003116530.tif 000003
【図２】
0003116530.tif 000004
【図３】
0003116530.tif 000005
【図４】
0003116530.tif 000006
【図５】
0003116530.tif 000007